(57)【要約】      （修正有）【課題】無線端末を通じての写真撮影や映像撮影時に手軽に肖像権保護が必要な顔に対して隠蔽処理をして予期せぬ肖像権の問題を未然に防止する装置及び方法を提供する。【解決手段】肖像権保護のためのアプリケーションが備えられた無線端末は、タッチスクリーンと一つ以上のカメラ部を具備する顔面領域を処理する装置であって、映像情報または写真情報を獲得するカメラ部、カメラ部から映像情報または写真情報の伝達を受けて顔面領域を認識し、顔面領域を有効顔面領域および隠蔽顔面領域に区分するアプリケーションを含む制御部および有効顔面領域および隠蔽顔面領域を保存するメモリ部を含む。【選択図】図１
2020087399.tif 000002
【特許請求の範囲】
【請求項１】
タッチスクリーンと一つ以上のカメラ部を具備する顔面領域を処理する装置であって、
映像情報または写真情報を獲得するカメラ部と、
前記カメラ部から前記映像情報または写真情報の伝達を受けて顔面領域を認識し、前記顔面領域を有効顔面領域および隠蔽顔面領域に区分するアプリケーションを含む制御部と、
前記有効顔面領域および隠蔽顔面領域を保存するメモリ部と、を含むことを特徴とする、顔面領域を処理する装置。
【請求項２】
前記アプリケーションは、
前記映像情報または写真情報を判読して、Ｎ個の顔面領域を認識することによって、Ｎ個の前記顔面領域に対応するＮ個の顔面特徴点関係を認識する特徴点認識部をさらに含むことを特徴とする、請求項１に記載の顔面領域を処理する装置。
【請求項３】
前記アプリケーションは、
前記映像情報または写真情報を判読して、認識されたＮ個の顔面領域を前記隠蔽顔面領域として決定することを特徴とする、請求項１に記載の顔面領域を処理する装置。
【請求項４】
前記特徴点関係は、
正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係および右下側方向の顔面特徴点関係を含むことを特徴とする、請求項２に記載の顔面領域を処理する装置。
【請求項５】
前記制御部はあらかじめ設定されたＭ個の顔面特徴点の組み合わせおよびあらかじめ設定された許容誤差範囲をさらに含み、
前記顔面特徴点の組み合わせは、
正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係および右下側方向の顔面特徴点関係のうち少なくとも一つまたは二つ以上の和集合からなることを特徴とする、請求項２または請求項３に記載の顔面領域を処理する装置。
【請求項６】
前記アプリケーションは特徴点判別部をさらに含み、
前記特徴点判別部は前記Ｎ個の顔面特徴点の組み合わせのうち前記あらかじめ設定された許容誤差範囲内でマッチングされるｎ個の顔面特徴点関係を判別することを特徴とする、請求項５に記載の顔面領域を処理する装置。
【請求項７】
前記ｎ個の顔面特徴点関係に対応するｎ個の顔面領域を有効顔面領域として決定する顔面領域処理部をさらに含むことを特徴とする、請求項６に記載の顔面領域を処理する装置。
【請求項８】
前記顔面領域処理部は，前記Ｎ個の顔面領域のうち（Ｎ−ｎ）個の前記顔面特徴点関係に対応する（Ｎ−ｎ）個の顔面領域を前記隠蔽顔面領域として決定することを特徴とする、請求項７に記載の顔面領域を処理する装置。
【請求項９】
前記アプリケーションは、前記タッチスクリーン上に出力された前記映像情報または写真情報をＮ個の顔面領域別にタッチ可能であるように活性化するタッチ入力活性化部をさらに含むことを特徴とする、請求項１に記載の顔面領域を処理する装置。
【請求項１０】
前記タッチ入力活性化部は、前記有効顔面領域および前記隠蔽顔面領域を前記タッチスクリーン上に出力することを特徴とする、請求項９に記載の顔面領域を処理する装置。
【請求項１１】
前記タッチ入力活性化部は，前記タッチスクリーン上に出力された前記有効顔面領域または隠蔽顔面領域のタッチ入力を確認し、
タッチ入力された前記有効顔面領域または隠蔽顔面領域を前記隠蔽顔面領域または有効顔面領域にそれぞれ切り替えて出力することを特徴とする、請求項９に記載の顔面領域を処理する装置。
【請求項１２】
前記アプリケーションは、前記映像情報または写真情報に含まれた最近接顔面領域の大きさおよび前記映像情報または写真情報の全体の領域の大きさの間の比率を判読するセルフカメラ判別部をさらに含み、
前記セルフカメラ判別部は、前記カメラ部を通じての前記映像情報または写真情報の撮影の有無を判別することを特徴とする、請求項２または請求項３に記載の顔面領域を処理する装置。
【請求項１３】
前記アプリケーションは、前記有効顔面領域に対応する前記顔面特徴点関係を正規化する特徴点正規化部をさらに含むことを特徴とする、請求項１に記載の顔面領域を処理する装置。
【請求項１４】
正規化された前記顔面特徴点関係を前記あらかじめ設定された顔面特徴点の組み合わせに含ませる学習処理部をさらに含むことを特徴とする、請求項１３に記載の顔面領域を処理する装置。
【請求項１５】
タッチスクリーンと一つ以上のカメラ部を具備した無線端末を利用して顔面領域を処理する方法において、
指定されたカメラ部を通じて獲得される映像情報や写真情報を判読して、Ｎ（Ｎ≧１）個の顔面領域に対応するＮ個の顔面領域別Ｎ個の顔面特徴点関係を認識する第１段階と、
表示対象と設定された顔面領域を判別するために登録された顔面特徴点の組み合わせを保存管理する指定された保存媒体と連動して、前記映像情報や写真情報から認識されたＮ個の顔面特徴点関係のうち前記登録された特定の顔面特徴点の組み合わせの少なくとも一部と既設定された許容誤差範囲内でマッチングされるｎ（０≦ｎ≦Ｎ）個の顔面特徴点関係を判別する第２段階と、
前記映像情報や写真情報に含まれたＮ個の顔面領域のうち、前記マッチングされたｎ個の顔面特徴点関係に対応するｎ個の顔面領域を有効顔面領域として決定するか非マッチングされた（Ｎ−ｎ）個の顔面特徴点関係に対応する（Ｎ−ｎ）個の顔面領域を隠蔽顔面領域として処理する第３段階と、を含む、顔面領域を処理する方法。
【発明の詳細な説明】
【技術分野】
【０００１】
本発明は顔面領域を処理する装置および方法に関するものであって、無線端末のカメラ部を通じて撮影される映像情報または写真情報を判読して、前記映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理するものである。
【背景技術】
【０００２】
移動通信技術の発達により携帯電話の普及が急速化され、携帯電話に内蔵されたカメラ技術が発展しＳＮＳが大衆化されるにつれて多くの人々が写真や映像を撮影することが多くなったことにより、撮影した写真や映像を知り合いまたは大衆とＳＮＳ等を通して共有している。
【０００３】
しかし、写真や映像を共有することにより、意図していないのに写真や映像に撮影されている他人が露出されて被害を被る場合がたびたび発生している。
【０００４】
このような被害を防ぐためには、フォトショップ（登録商標）などの写真や映像の編集が可能な別途のプログラムを通じて、写真や映像に意図していないのに撮影されてしまった他人を隠したりモザイク処理をしなければならない煩わしさがあった。
【発明の概要】
【発明が解決しようとする課題】
【０００５】
前記のような問題点を解消するための本発明の目的は、無線端末のカメラ部を通じて撮影される映像情報または写真情報を判読して、前記映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理する装置および方法を提供することにある。
【課題を解決するための手段】
【０００６】
このために本発明は、映像情報または写真情報を獲得するカメラ部、カメラ部から映像情報または写真情報の伝達を受けて顔面領域を認識し、顔面領域を有効顔面領域および隠蔽顔面領域に区分するアプリケーションを含む制御部および有効顔面領域および隠蔽顔面領域を保存するメモリ部を含む装置を提供する。
【０００７】
また、本発明に係るアプリケーションは、映像情報または写真情報を判読してＮ個の顔面領域を認識することによってＮ個の顔面領域に対応するＮ個の顔面特徴点関係を認識する特徴点認識部をさらに含む。
【０００８】
また、本発明に係るアプリケーションは映像情報または写真情報を判読して認識されたＮ個の顔面領域を隠蔽顔面領域として決定する。
【０００９】
また、本発明の特徴点関係は正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係および右下側方向の顔面特徴点関係を含むことを特徴とする、。
【００１０】
また、制御部はあらかじめ設定されたＭ個の顔面特徴点の組み合わせおよびあらかじめ設定された許容誤差範囲をさらに含み、前記顔面特徴点の組み合わせは正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係および右下側方向の顔面特徴点関係のうち少なくとも一つまたは二つ以上の和集合からなる。
【００１１】
また、アプリケーションは特徴点判別部をさらに含み、特徴点判別部はＮ個の顔面特徴点の組み合わせのうちあらかじめ設定された許容誤差範囲内でマッチングされるｎ個の顔面特徴点関係を判別する。
【００１２】
また、本発明はｎ個の顔面特徴点関係に対応するｎ個の顔面領域を有効顔面領域として決定する顔面領域処理部をさらに含み、顔面領域処理部はＮ個の顔面領域のうち（Ｎ−ｎ）個の顔面特徴点関係に対応する（Ｎ−ｎ）個の顔面領域を隠蔽顔面領域として決定する。
【００１３】
また、アプリケーションはタッチスクリーン上に出力された映像情報または写真情報をＮ個の顔面領域別にタッチ可能であるように活性化するタッチ入力活性化部をさらに含み、タッチ入力活性化部は有効顔面領域および隠蔽顔面領域をタッチスクリーン上に出力し、タッチスクリーン上に出力された有効顔面領域または隠蔽顔面領域のタッチ入力を確認し、タッチ入力された前記有効顔面領域または隠蔽顔面領域を前記隠蔽顔面領域または有効顔面領域にそれぞれ切り替えて出力する。
【００１４】
また、本発明に係るアプリケーションは、映像情報または写真情報に含まれた最近接顔面領域の大きさおよび映像情報または写真情報の全体の領域の大きさの間の比率を判読するセルフカメラ判別部をさらに含み、セルフカメラ判別部はカメラ部を通じての映像情報または写真情報の撮影の有無を判別する。
【００１５】
また、前記アプリケーションは有効顔面領域に対応する顔面特徴点関係を正規化する特徴点正規化部をおよび正規化された顔面特徴点関係をあらかじめ設定された顔面特徴点の組み合わせに含ませる学習処理部をさらに含む。
【００１６】
また、本発明はタッチスクリーンと一つ以上のカメラ部を具備した無線端末を利用して顔面領域を処理する方法であって、指定されたカメラ部を通じて獲得される映像情報や写真情報を判読してＮ（Ｎ≧１）個の顔面領域に対応するＮ個の顔面領域別Ｎ個の顔面特徴点関係を認識する第１段階、表示対象と設定された顔面領域を判別するために登録された顔面特徴点の組み合わせを保存管理する指定された保存媒体と連動して、前記映像情報や写真情報から認識されたＮ個の顔面特徴点関係のうち前記登録された特定の顔面特徴点の組み合わせの少なくとも一部と既設定された許容誤差範囲内でマッチングされるｎ（０≦ｎ≦Ｎ）個の顔面特徴点関係を判別する第２段階および映像情報や写真情報に含まれたＮ個の顔面領域のうちマッチングされたｎ個の顔面特徴点関係に対応するｎ個の顔面領域を有効顔面領域として決定するか非マッチングされた（Ｎ−ｎ）個の顔面特徴点関係に対応する（Ｎ−ｎ）個の顔面領域を隠蔽顔面領域として処理する第３段階を含む顔面領域を処理する方法を提供する。
【発明の効果】
【００１７】
本発明に係る顔面領域を処理する装置および方法を提供することによって、無線端末を通じての写真撮影や映像撮影時に手軽に肖像権保護が必要な顔に対して隠蔽処理をして予期せぬ肖像権の問題を未然に防止できる利点がある。
【図面の簡単な説明】
【００１８】
【図１】本発明に係る肖像権保護のためのアプリケーションが備えられた無線端末の機能構成を図示した図面。
【図２】本発明の一実施方法に係る無線端末のカメラ部を通じて撮影されて認識された顔面領域を有効顔面領域または隠蔽顔面領域として処理する過程を図示した図面。
【図３】本発明の他の一実施方法に係る無線端末のカメラ部を通じて撮影されて認識された顔面領域を有効顔面領域または隠蔽顔面領域として処理する過程を図示した図面。
【図４】本発明の一実施方法に係るタッチスクリーンをタッチして有効顔面領域または隠蔽顔面領域を処理する過程を図示した図面。
【図５】本発明の一実施方法に係る有効顔面領域に対応する顔面特徴点関係を学習させる過程を図示した図面。
【発明を実施するための形態】
【００１９】
以下、添付された図面と説明を参照して本発明の好ましい実施に対する動作原理を詳細に説明する。ただし、下記に図示される図面と後述される説明は本発明の特徴を効果的に説明するための多様な方法のうち好ましい実施方法に関するものであり、本発明は下記の図面と説明だけで限定されるものではない。
【００２０】
すなわち、下記の実施例は本発明の多様な実施例のうち好ましい和集合形態の実施例の例に該当し、下記の実施例で特定の構成（または段階）を省略する実施例、または特定の構成（または段階）に具現された機能を特定の構成（または段階）に分割する実施例、または二つ以上の構成（または段階）に具現された機能をいずれか一つの構成（または段階）に統合する実施例、特定の構成（または段階）の動作順序を取り替える実施例などは、下記の実施例で別途に言及せずともすべて本発明の権利範囲に属することを明白に明しておく。したがって、下記の実施例を基準として部分集合または差集合に該当する多様な実施例が本発明の出願日を遡及して分割され得ることを明示しておく。
【００２１】
また、下記で本発明の説明において、関連した公知の機能または構成に対する具体的な説明が本発明の要旨を不要に曖昧にさせる恐れがあると判断される場合には、その詳細な説明を省略する。そして、後述される用語は本発明での機能を考慮して定義された用語であって、これは使用者、運用者の意図または慣例などにより変わり得る。したがって、その定義は本発明で全般にわたった内容に基づいて下されるべきである。
【００２２】
結果として、本発明の技術的思想は、特許請求の範囲によって決定され、以下の実施例は進歩的な本発明の技術的思想を本発明が属する技術分野で通常の知識を有する者に効率的に説明するための一手段に過ぎないものである。
【００２３】
図１は本発明に係る肖像権保護のためのアプリケーションが備えられた無線端末の機能構成を図示した図面である。
【００２４】
より詳細には、図１は無線端末１００のカメラ部１４０を通じて撮影される映像情報または写真情報を判読して、前記判読された映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理するために、前記無線端末１００に設置されて実行されるアプリケーション１５０の機能構成および前記無線端末１００の概略的な構成を図示したものであって、本発明が属した技術分野で通常の知識を有する者であれば、図１を参照および／または変形して前記アプリケーション１５０が設置されて本発明が具現される無線端末１００の機能に対する多様な実施方法を類推できるであろうが、本発明は前記類推されるすべての実施方法を含んで構成され、図１に図示された実施方法のみにその技術的特徴が限定されるものではない。好ましくは、図１の無線端末１００は無線通信が可能な各種スマートフォン、各種タブレットＰＣ、各種ＰＤＡおよび各種携帯電話のうち少なくとも一つを含むことができる。
【００２５】
図１を参照すると、前記無線端末１００は、制御部１０５とメモリ部１４５と画面出力部１１０と使用者入力部１１５とサウンド処理部１２０とカメラ部１４０と近距離無線部１２５と近距離網通信部１３０と無線網通信部１３５を具備し、電源供給のためのバッテリーを具備して構成され得る。
【００２６】
前記制御部１０５は前記無線端末１００の動作を制御する構成の総称であって、少なくとも一つのプロセッサと実行メモリを含んで構成され得、前記無線端末１００に備えられた各構成部とバス（ＢＵＳ）を介して連結され得る。本発明によると、前記制御部１０５は前記プロセッサを通じて前記無線端末１００に備えられる少なくとも一つのプログラムコードを前記実行メモリにローディングして演算し、その結果を前記バスを介して少なくとも一つの構成部に伝達して前記無線端末１００の動作を制御することができる。
【００２７】
以下、便宜上プログラムコード形態で具現される前記アプリケーション１５０の機能的構成を本制御部１０５内に図示して説明する。
【００２８】
前記メモリ部１４５は前記無線端末１００の保存資源に対応する不揮発性メモリの総称であって、前記制御部１０５を通じて実行される少なくとも一つのプログラムコードと、前記プログラムコードが利用する少なくとも一つのデータセットを保存して維持することができる。
【００２９】
前記メモリ部１４５は、基本的に前記無線端末１００の運営体制に対応するシステムプログラムコードとシステムデータセット、前記無線端末１００の無線通信連結を処理する通信プログラムコードと通信データセットおよび少なくとも一つのアプリケーションコードと応用データセットを保存し、本発明のプログラムに対応するプログラムコードとデータセットも前記メモリ部１４５に保存され得る。
【００３０】
本発明に係る肖像権保護のためにＭ（Ｍ≧１）個の顔面を判別するためのＭ個の顔面別Ｍ個の顔面特徴点の組み合わせは、前記メモリ部１４５に保存され得る。
【００３１】
また、本発明に係る肖像権保護のために指定された運営サーバー１９７からダウンロードされる一つ以上の顔面特徴点の組み合わせは、前記メモリ部１４５に保存され得る。
【００３２】
また、本発明によりカメラ部１４０を通じて撮影される映像情報または写真情報を判読して、前記判読された映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理する過程で生成されるか、受信／入力されるか、処理される一つ以上の情報またはデータは、前記メモリ部１４５に保存され得る。
【００３３】
前記画面出力部１１０は、画面出力器（例えば、ＬＣＤ（Ｌｉｑｕｉｄ  Ｃｒｙｓｔａｌ  Ｄｉｓｐｌａｙ）等）とこれを駆動する駆動モジュールで構成され得、前記制御部１０５と連動して前記制御部１０５の各種演算結果のうち画面出力に対応する演算結果を前記画面出力装置に出力することができる。
【００３４】
前記使用者入力部１１５は、一つ以上の使用者入力器（例えば、ボタン、キーパッド、タッチパッド、画面出力部１０４と連動するタッチスクリーンなど）とこれを駆動する駆動モジュールで構成され得、前記制御部１０５と連動して前記制御部１０５の各種演算を命令する命令を入力したり、または前記制御部１０５の演算に必要なデータを入力することができる。
【００３５】
前記サウンド処理部１２０は、スピーカーとマイクロホンとおよびこれを駆動する駆動モジュールで構成され得、前記制御部１０５の各種演算結果のうちサウンド出力に対応するサウンドデータをデコーディング（Ｄｅｃｏｄｉｎｇ）して前記スピーカーを通じて出力したり、または前記マイクロホンを通じて入力されるサウンド信号をエンコーディング（Ｅｎｃｏｄｉｎｇ）して前記制御部１０５に伝達することができる。
【００３６】
前記カメラ部１４０は、カメラレンズとイメージセンサおよびこれを駆動するカメラモジュールを含んで構成され、自動焦点機能や手振れ補正機能のためのアクチュエータ（Ａｃｔｕａｔｏｒ）および／または各種フィルター（例えば、ＩＲフィルタなど）等をさらに含んで構成される。好ましくは、前記カメラ部１４０は、視線方向の被写体のうち指定された画角内の被写体に対する光学信号をカメラレンズを通じて入力を受けて、イメージセンサを通じてデジタル化して映像情報または写真情報を生成して制御部１０５に提供し、前記アクチュエータを通じて自動焦点機能や手振れ補正機能を提供し、少なくとも一つのフィルターを通じて前記映像情報または写真情報の品質を補正することができる。一方、実施方法により前記カメラ部１４０は、品質向上のための少なくとも一つの機能構成部をさらに具備したりおよび／または品質向上や被写体とカメラレンズの間の距離認識のためのデュアルカメラ機能を具備することができるが、これによって本発明が限定されるものではない。
【００３７】
前記近距離無線部１２５は、無線端末１００に備えられる構成部のうち一定距離以内の近距離で指定された無線信号規格に沿って送出（または放送）された無線信号を受信したりまたは近距離と指定された無線信号を送出する構成部の総称である。
【００３８】
前記無線網通信部１３５と近距離網通信部１３０は、前記無線端末１００を指定された通信網に接続させる通信資源の総称である。好ましくは、前記無線端末１００は無線網通信部１３５を基本通信資源として具備することができ、一つ以上の近距離網通信部１３０を具備することができる。
【００３９】
前記無線網通信部１３５は前記無線端末１００を基地局を経由する無線通信網に接続させる通信資源の総称であって、特定周波数帯域の無線周波数信号を送受信するアンテナ、ＲＦモジュール、基底帯域モジュール、信号処理モジュールを少なくとも一つ含んで構成され得、前記制御部１０５と連結されて前記制御部１０５の各種演算結果のうち無線通信に対応する演算結果を無線通信網を通じて伝送したりまたは無線通信網を通じてデータを受信して前記制御部１０５に伝達するとともに、前記無線通信の接続、登録、通信、ハンドオフの手続きを実行することができる。本発明によると、前記無線網通信部１３５は前記無線端末１００を交換機を経由する通話チャネルとデータチャンネルを含む通話網に連結することができ、場合により前記交換機を経由せずパケット通信基盤の無線網データ通信（例えば、インターネット）を提供するデータ網に連結することができる。
【００４０】
前記無線網通信部１３５は、ＣＤＭＡ／ＷＣＤＭＡ（登録商標）／ＬＴＥ規格に沿って移動通信網に接続、位置登録、呼処理、通話連結、データ通信、ハンドオフを少なくとも一つ遂行する移動通信構成を含むことができる。
【００４１】
一方、当業者の意図により前記無線網通信部１３５は、ＩＥＥＥ  ８０２．１６関連規格に沿って携帯インターネットに接続、位置登録、データ通信、ハンドオフを少なくとも一つ遂行する携帯インターネット通信構成をさらに含むことができ、前記無線網通信部１３５が提供する無線通信構成によって本発明が限定されないことを明白にしておく。すなわち、前記無線網通信部１３５は無線区間の周波数帯域や通信網の種類またはプロトコルにかかわらずセル基盤の基地局を通じて無線通信網に接続する構成部の総称である。
【００４２】
前記近距離網通信部１３０は一定距離以内（例えば、１０ｍ）で無線周波数信号を通信媒体として利用して通信セッションを連結し、これに基づいて前記無線端末１００を通信網に接続させる通信資源の総称であって、好ましくは、Ｗｉ−Ｆｉ通信、ブルートゥース（登録商標）通信、公衆無線通信、ＵＷＢのうち少なくとも一つを通じて前記無線端末１００を通信網に接続させることができる。
【００４３】
前記近距離網通信部１３０は前記無線網通信部１３５と統合または分離した形態で具現され得、前記近距離網通信部１３０は無線ＡＰを通じて前記無線端末１００をパケット通信基盤の近距離無線データ通信を提供するデータ網に連結することができる。
【００４４】
前記無線端末１００の制御部１０５は、前記通信資源が接続可能なデータ網を通じて指定されたアプリケーション提供サーバー（例えば、アップル社のアップストアなど）から本発明に係る肖像権保護のためのアプリケーション１５０をダウンロードして設置する過程を遂行することができる。一方、前記無線端末１００にダウンロードされて設置されたアプリケーション１５０は、設置後最初実行（または情報登録前実行）時に前記無線端末１００とアプリケーション１５０の組み合わせ（または前記アプリケーション１５０を設置した無線端末１００、または前記無線端末１００に設置されたアプリケーション１５０）を固有な媒体として識別する媒体識別情報（例えば、デバイストークン、ＵＵＩＤなど）を生成したり、指定されたサーバーを通じて割り当てられる手続きを遂行することができ、前記無線端末１００とアプリケーション１５０の組み合わせを固有な媒体として固有識別する媒体識別情報を指定された運営サーバー１９７に登録する手続きを遂行することができる。一方、前記無線端末１００のアプリケーション１５０は前記無線端末１００を固有識別する無線端末情報（例えば、電話番号、ＩＭＳＩ、ＩＭＥＩなど）を指定された運営サーバー１９７に登録する手続きを遂行することができ、この場合、前記運営サーバー１９７は前記媒体識別情報と前記無線端末情報を連係して保存して管理することができる。
【００４５】
一方、前記無線端末１００のアプリケーション１５０は前記アプリケーション１５０を設置した無線端末１００の使用者を固有識別する使用者情報（例えば、固有ＩＤ、姓名、生年月日など）を登録する手続きを遂行することができ、この場合前記運営サーバー１９７は前記媒体識別情報と前記使用者情報を連係して保存して管理することができる。
【００４６】
図１を参照すると、前記無線端末１００のアプリケーション１５０は、本発明により無線端末１００のカメラ部１４０を通じて撮影される映像情報または写真情報を判読して、前記映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理する機能を提供するプログラムであって、このために前記アプリケーション１５０は特徴点認識部１５５と、特徴点判別部１６０と、顔面領域処理部１６５を具備して構成され得る。
【００４７】
より具体的に、前記特徴点認識部１５５は指定されたカメラ部１４０を通じて獲得される映像情報や写真情報を判読して、Ｎ（Ｎ≧１）個の顔面領域に対応するＮ個の顔面領域別Ｎ個の顔面特徴点関係を認識することができる。
【００４８】
ここで、前記映像情報は前記カメラ部１４０を通じて入力されて指定されたバッファー領域にバッファリングされる映像情報（例えば、ファイルで保存されずにカメラを通じてリアルタイムで入力されてバッファリングされる映像情報）を含むことができる。
【００４９】
また、前記映像情報は前記カメラ部１４０を通じて撮影されて指定された保存領域（例えば、原本ファイルを保存する原本保存領域または一時ファイルを保存する一時保存領域）にファイル形態で保存された映像情報を含むことができる。
【００５０】
前記写真情報は前記カメラ部１４０を通じて撮影されて指定された保存領域（例えば、原本ファイルを保存する原本保存領域または一時ファイルを保存する一時保存領域）にファイル形態で保存された写真情報を含むことができる。
【００５１】
本発明によると、前記特徴点認識部１５５は前記指定されたカメラ部１４０を通じて獲得される映像情報や写真情報を前記タッチスクリーン上の指定された領域に出力することができる。
【００５２】
本発明によると、前記特徴点認識部１５５を通じて認識される顔面特徴点関係は、正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係、右下側方向の顔面特徴点関係、左側顔面特徴点関係、右側顔面特徴点関係のうち少なくとも一つの特徴点関係を含むことができる。例えば、前記左側顔面や右側顔面はほぼ９０°の横顔を示し、前記左側方向の顔面は正面方向の顔面と左側顔面の間の角度範囲に該当する顔面を示すことができる。前記のような顔面特徴点関係は図２〜図５で後述する顔面特徴点関係と同様に適用され得る。
【００５３】
本発明の一実施方法によると、前記特徴点認識部１５５は前記認識されたＮ個の顔面領域を隠蔽顔面領域として処理することができる。
【００５４】
本発明の一実施方法によると、前記特徴点認識部１５５は少なくとも一つの有効顔面領域が決定された場合、前記有効顔面領域に対応する顔面特徴点関係の少なくとも一部の特徴点関係が指定された許容範囲内で変化した表情変化特徴点関係を認識することができる。
【００５５】
前記特徴点判別部１６０は、前記特徴点認識部１５５を通じて前記Ｎ個の顔面領域に対応するＮ個の顔面領域別Ｎ個の顔面特徴点関係が認識されると、表示対象と設定された顔面領域を判別するために登録された顔面特徴点の組み合わせを保存管理する指定された保存媒体と連動して、前記映像情報や写真情報から認識されたＮ個の顔面特徴点関係のうち前記登録された特定の顔面特徴点の組み合わせの少なくとも一部と既設定された許容誤差範囲内でマッチングされるｎ（０≦ｎ≦Ｎ）個の顔面特徴点関係を判別することができる。
【００５６】
ここで、前記顔面特徴点の組み合わせは、正面方向の顔面特徴点関係、左側方向の顔面特徴点関係、右側方向の顔面特徴点関係、上側方向の顔面特徴点関係、下側方向の顔面特徴点関係、左上側方向の顔面特徴点関係、左下側方向の顔面特徴点関係、右上側方向の顔面特徴点関係、右下側方向の顔面特徴点関係、左側顔面特徴点関係、右側顔面特徴点関係のうち少なくとも一つまたは二つ以上の和集合を含むことができる。前記のような顔面特徴点の組み合わせは図２〜図５で後述する顔面特徴点の組み合わせと同様に適用され得る。
【００５７】
一方、前記保存媒体はＭ（Ｍ≧１）個の顔面を判別するためのＭ個の顔面別Ｍ個の顔面特徴点の組み合わせを保存することができるが、前記保存媒体は前記無線端末１００のメモリ部１４５でもよく、運営サーバー１９７上のＤＢでもよい。
【００５８】
本発明の実施方法によると、前記特徴点判別部１６０は、Ｍ個の顔面特徴点の組み合わせのうちいずれか一つの特定の顔面特徴点の組み合わせの少なくとも一部と既設定された許容誤差範囲内でマッチングされるｎ個の顔面特徴点関係を判別することができる。例えば、各顔面特徴点の組み合わせは各方向別特徴点関係を含むので、そのうち一部と許容誤差範囲内でマッチングされ得る。
【００５９】
前記顔面領域処理部１６５は、前記特徴点判別部１６０を通じて前記映像情報や写真情報から認識されたＮ個の顔面特徴点関係のうち前記登録された特定の顔面特徴点の組み合わせの少なくとも一部と既設定された許容誤差範囲内でマッチングされるｎ個の顔面特徴点関係が判別されると、前記映像情報や写真情報に含まれたＮ個の顔面領域のうち、前記マッチングされたｎ個の顔面特徴点関係に対応するｎ個の顔面領域を有効顔面領域として決定するか非マッチングされた（Ｎ−ｎ）個の顔面特徴点関係に対応する（Ｎ−ｎ）個の顔面領域を隠蔽顔面領域として処理することができる。
【００６０】
本発明の実施方法によると、前記顔面領域処理部１６５は前記映像情報や写真情報に含まれたＮ個の顔面領域のうち、前記登録された顔面特徴点の組み合わせと既設定された許容誤差範囲内でマッチングされたｎ個の顔面特徴点関係に対応するｎ個の顔面領域を有効顔面領域として表示することができる。例えば、ｎ＝Ｎである場合、ｎ個の顔面領域をすべて有効顔面領域として表示することができる。
【００６１】
たとえ、ｎが「ｎ＜Ｎ」であっても、特徴点認識部１５５を通じて前記認識されたＮ個の顔面領域がすべて自動隠蔽処理された場合、前記顔面領域処理部１６５はマッチングされたものと確認された一部のｎ個の顔面領域を表示することができる。
【００６２】
本発明の実施方法によると、前記顔面領域処理部１６５は前記映像情報や写真情報に含まれたＮ個の顔面領域のうち、前記登録された顔面特徴点の組み合わせと既設定された許容誤差範囲内でマッチングされていない（Ｎ−ｎ）個の顔面特徴点関係に対応する（Ｎ−ｎ）個の顔面領域を隠蔽顔面領域として処理することができる。例えば、ｎ＝０である場合、すなわちＮ＝（Ｎ−ｎ）であるから、Ｎ個の顔面領域をすべて隠蔽処理することができる。
【００６３】
本発明の実施方法によると、前記顔面領域処理部１６５は前記映像情報や写真情報に含まれたＮ個の顔面領域のうち、前記マッチングされた一部のｎ個の顔面特徴点関係に対応するｎ個の顔面領域を有効顔面領域として表示し、非マッチングされた残りの（Ｎ−ｎ）個の顔面特徴点関係に対応する（Ｎ−ｎ）個の顔面領域を隠蔽顔面領域として処理することができる。例えば、ｎ＝１≦ｎ＜Ｎである場合、一部は表示し残りは隠蔽することができる。
【００６４】
本発明の実施方法によると、前記顔面領域処理部１６５は有効顔面領域や隠蔽顔面領域を含む映像情報や写真情報を前記タッチスクリーン上の指定された領域に出力することができる。
【００６５】
前記有効顔面領域や隠蔽顔面領域を含む映像情報や写真情報を前記タッチスクリーンに出力する場合、前記顔面領域処理部１６５は前記タッチスクリーンに出力される映像情報や写真情報に含まれたＮ個の顔面領域別タッチ入力を活性化処理することができる。ここで、前記タッチ入力活性化は、自動で活性化するか、メニュー選択や操作によって手動で活性化することが可能である。
【００６６】
一方、本発明の実施方法によると、前記顔面領域処理部１６５は前記Ｎ個の顔面領域別タッチ入力が活性化した映像情報や写真情報を前記タッチスクリーンに出力する場合、前記映像情報や写真情報に含まれたＮ個の顔面領域のうち前記タッチスクリーンを通じてのいずれか一つの特定顔面領域のタッチ入力を確認し、前記Ｎ個の顔面領域のうち有効顔面領域に対応する特定顔面領域がタッチ入力された場合、前記タッチされた特定顔面領域を隠蔽顔面領域として処理して表示し、前記Ｎ個の顔面領域のうち隠蔽処理された顔面領域に対応する特定顔面領域がタッチ入力された場合、前記タッチされた特定顔面領域の隠蔽を解除して有効顔面領域として表示することができる。
【００６７】
一方、前記無線端末１００のアプリケーション１５０は、セルフカメラ判別部１７０と、肖像権保護活性化部１７５をさらに具備して構成され得る。
【００６８】
前記セルフカメラ判別部１７０は、前記映像情報や写真情報を撮影したカメラ情報を判読して、前記タッチスクリーンを具備した面に搭載された前面カメラ部を通じて撮影されたものか判別し、前記映像情報や写真情報に含まれた最近接顔面領域の大きさと前記映像情報や写真情報の全体の領域の大きさの間の比率を判読して、既設定されたセルフカメラ比率範囲に含まれるかを判別することができる。
【００６９】
前記肖像権保護活性化部１７５は、前記セルフカメラ判別部１７０を通じて前記映像情報や写真情報が前記前面カメラ部を通じて撮影され、前記最近接顔面領域の大きさと全体の領域の大きさの間の比率が既設定されたセルフカメラ比率範囲に含まれる場合、前記映像情報や写真情報に含まれた顔面領域のうち未登録顔面領域を隠蔽処理する肖像権保護機能を活性化することができる。
【００７０】
一方、前記無線端末１００のアプリケーション１５０は、タッチ入力活性化部１８０と、特徴点正規化部１８５と、学習処理部１９０と、情報保存部１９５をさらに具備して構成され得る。
【００７１】
前記タッチ入力活性化部１８０は、Ｎ個の顔面領域が認識された映像情報や写真情報を前記タッチスクリーンに出力した場合、前記タッチスクリーンに出力される映像情報や写真情報に含まれたＮ個の顔面領域別タッチ入力を活性化処理することができる。例えば、前記タッチ入力活性化は、自動で活性化するか、メニュー選択や操作によって手動で活性化することが可能である。
【００７２】
前記特徴点正規化部１８５は、前記顔面領域処理部１６５を通じて少なくとも一つの有効顔面領域が決定された場合、前記有効顔面領域に対応する顔面特徴点関係を正規化することができる。
【００７３】
本発明の実施方法によると、前記特徴点正規化部１８５は、前記顔面領域処理部１６５を通じて少なくとも一つの有効顔面領域が決定され、前記特徴点認識部１５５を通じて前記有効顔面領域に対応する顔面特徴点関係の少なくとも一部の特徴点関係が指定された許容範囲内で変化した表情変化特徴点関係が認識される場合、前記認識された表情変化特徴点関係を正規化することができる。
【００７４】
前記学習処理部１９０は、前記特徴点正規化部１８５を通じて前記有効顔面領域に対応する顔面特徴点関係が正規化されると、前記正規化された顔面特徴点関係を前記マッチングされた顔面特徴点の組み合わせに含まれるように学習させることができる。
【００７５】
本発明の実施方法によると、前記特徴点正規化部１８５を通じて前記認識された表情変化特徴点関係が正規化されると、前記正規化された表情変化特徴点関係を前記マッチングされた顔面特徴点の組み合わせに含まれるように学習させることができる。
【００７６】
前記情報保存部１９５は前記顔面領域処理部１６５を通じて少なくとも一つの有効顔面領域または隠蔽顔面領域が決定されると、有効顔面領域や隠蔽顔面領域を含む映像情報や写真情報を指定された保存領域（例えば、無線端末のメモリ部または運営サーバーのＤＢ）に保存することができる。ここで、前記映像情報または写真情報は自動保存されるか、またはメニュー選択によって手動保存され得る。
【００７７】
図２は本発明の一実施方法に係る無線端末のカメラ部を通じて撮影されて認識された顔面領域を有効顔面領域または隠蔽顔面領域として処理する過程を図示した図面である。
【００７８】
より詳細には、図２は前記図１に図示された無線端末１００に設置されたアプリケーション１５０を通じて前記無線端末１００の指定されたカメラ部１４０を通じて撮影される映像情報または写真情報を判読して、前記判読された映像情報または写真情報に含まれた一つ以上の顔面領域を認識し、表示対象と設定された顔面領域を判別するために登録された顔面特徴点の組み合わせに基づいて前記認識された一つ以上の顔面領域を有効顔面領域として決定するかまたは隠蔽顔面領域として処理する過程を図示したものであって、本発明が属した技術分野で通常の知識を有する者であれば、図２を参照および／または変形して前記過程に対する多様な実施方法を類推できるであろうが、本発明は前記類推されるすべての実施方法を含んで構成され、図２に図示された実施方法のみにその技術的特徴が限定されるものではない。
【００７９】
図２を参照すると、図示された実施方法は、前記図１に図示された無線端末１００のアプリケーション１５０で指定されたカメラ部１４０を通じて映像情報や写真情報を獲得する過程から開始され得る２００。ここで、前記映像情報は前記カメラ部１４０を通じて入力されて指定されたバッファー領域にバッファリングされる映像情報または前記カメラ部１４０を通じて撮影されて指定された保存領域にファイル形態で保存された映像情報を含むことができる。
【００８０】
前記映像情報や写真情報が獲得されると、前記無線端末１００のアプリケーション１５０は前記獲得される映像情報や写真情報を判読して、Ｎ（Ｎ≧１）個の顔面領域に対応するＮ個の顔面領域別Ｎ個の顔面特徴点関係を認識する２０５。
【００８１】
本発明の実施方法によると、前記無線端末１００のアプリケーション１５０は、前記顔面特徴点関係を認識する過程で前記映像情報や写真情報を前記タッチスクリーン上の指定された領域に出力することができ、Ｎ個の顔面領域が認識された映像情報や写真情報を前記タッチスクリーンに出力した場合、前記タッチスクリーンに出力される映像情報や写真情報に含まれたＮ個の顔面領域別タッチ入力を活性化処理することができる。
【００８２】
前記Ｎ個の顔面領域別Ｎ個の顔面特徴点関係が認識されると、前記無線端末１００のアプリケーション１５０は表示対象と設定された顔面領域を判別するために登録された顔面特徴点の組み合わせを保存管理する指定されたメモリ部１４５と連動して、前記映像情報や写真情報から認識されたＮ個の顔面特徴点関係のうち前記登録された特定の顔面特徴点の組み合わせの少なくとも一部と既設定された許容誤差範囲内でマッチングされるｎ（０≦ｎ≦Ｎ）個の顔面特徴点関係を判別する２１０。
【００８３】
ここで、前記メモリ部１４５は、Ｍ（Ｍ≧１）個の顔面を判別するためのＭ個の顔面別Ｍ個の顔面特徴点の組み合わせを保存し、前記無線端末１００のアプリケーション１５０はＭ個の顔面特徴点の組み合わせのうちいずれか一つの特定の顔面特徴点の組み合わせの少なくとも一部と既設定された許容誤差範囲内でマッチングされるｎ個の顔面特徴点関係を判別することができる。
【００８４】
前記マッチングされるｎ個の顔面特徴点関係が判別されると、前記無線端末１００のアプリケーション１５０は前記映像情報や写真情報に含まれたＮ個の顔面領域のうち、前記マッチングされたｎ個の顔面特徴点関係に対応するｎ個の顔面領域を有効顔面領域として決定するか非マッチングされた（Ｎ−ｎ）個の顔面特徴点関係に対応する（Ｎ−ｎ）個の顔面領域を隠蔽顔面領域として処理する２１５。
【００８５】
ここで、前記無線端末１００のアプリケーション１５０は前記映像情報や写真情報に含まれたＮ個の顔面領域のうち、前記登録された顔面特徴点の組み合わせと既設定された許容誤差範囲内でマッチングされたｎ個の顔面特徴点関係に対応するｎ個の顔面領域を有効顔面領域として表示することができる。
【００８６】
または前記無線端末１００のアプリケーション１５０は前記映像情報や写真情報に含まれたＮ個の顔面領域のうち、前記登録された顔面特徴点の組み合わせと既設定された許容誤差範囲内でマッチングされていない（Ｎ−ｎ）個の顔面特徴点関係に対応する（Ｎ−ｎ）個の顔面領域を隠蔽顔面領域として処理することができる。
【００８７】
ここで、前記無線端末１００のアプリケーション１５０は前記有効顔面領域や隠蔽顔面領域を含む映像情報や写真情報を前記メモリ部１４５または運営サーバー１９７のＤ／Ｂに保存することができる。
【００８８】
図３は、本発明の他の一実施方法に係る無線端末のカメラ部を通じて撮影されて認識された顔面領域を有効顔面領域または隠蔽顔面領域として処理する過程を図示した図面である。
【００８９】
より詳細には、図３は前記図１に図示された無線端末１００に設置されたアプリケーション１５０を通じて前記無線端末１００の指定されたカメラ部１４０を通じて撮影される映像情報または写真情報を判読して、前記判読された映像情報または写真情報に含まれた一つ以上の顔面領域を認識し、前記認識された顔面領域を優先的に隠蔽顔面領域として処理した後、表示対象と設定された顔面領域を判別するために登録された顔面特徴点の組み合わせとマッチングされる顔面領域を有効顔面領域として決定する過程を図示したものであって、本発明が属した技術分野で通常の知識を有する者であれば、図３を参照および／または変形して前記過程に対する多様な実施方法を類推できるであろうが、本発明は前記類推されるすべての実施方法を含んで構成され、図３に図示された実施方法のみにその技術的特徴が限定されるものではない。
【００９０】
図３を参照すると、図示された実施方法は、前記図１に図示された無線端末１００のアプリケーション１５０で指定されたカメラ部１４０を通じて映像情報や写真情報を獲得する過程から開始され得る３００。ここで、前記映像情報は前記カメラ部１４０を通じて入力されて指定されたバッファー領域にバッファリングされる映像情報または前記カメラ部１４０を通じて撮影されて指定された保存領域にファイル形態で保存された映像情報を含むことができる。
【００９１】
前記映像情報や写真情報が獲得されると、前記無線端末１００のアプリケーション１５０は前記獲得される映像情報や写真情報を判読して、Ｎ（Ｎ≧１）個の顔面領域に対応するＮ個の顔面領域別Ｎ個の顔面特徴点関係を認識する３０５。
【００９２】
本発明の実施方法によると、前記無線端末１００のアプリケーション１５０は前記顔面特徴点関係を認識する過程で前記映像情報や写真情報を前記タッチスクリーン上の指定された領域に出力することができ、Ｎ個の顔面領域が認識された映像情報や写真情報を前記タッチスクリーンに出力した場合、前記タッチスクリーンに出力される映像情報や写真情報に含まれたＮ個の顔面領域別タッチ入力を活性化処理することができる。
【００９３】
前記Ｎ個の顔面領域別Ｎ個の顔面特徴点関係が認識されると、前記無線端末１００のアプリケーション１５０は前記認識されたＮ個の顔面領域を隠蔽顔面領域として処理する３１０。
【００９４】
以後、前記無線端末１００のアプリケーション１５０は、表示対象と設定された顔面領域を判別するために登録された顔面特徴点の組み合わせを保存管理する指定されたメモリ部１４５と連動して、前記映像情報や写真情報から認識されたＮ個の顔面特徴点関係のうち、前記登録された特定の顔面特徴点の組み合わせの少なくとも一部と既設定された許容誤差範囲内でマッチングされるｎ（０≦ｎ≦Ｎ）個の顔面特徴点関係を判別する（３１５）。ここで、前記メモリ部１４５は、Ｍ（Ｍ≧１）個の顔面を判別するためのＭ個の顔面別Ｍ個の顔面特徴点の組み合わせを保存し、前記無線端末１００のアプリケーション１５０はＭ個の顔面特徴点の組み合わせのうちいずれか一つの特定の顔面特徴点の組み合わせの少なくとも一部と既設定された許容誤差範囲内でマッチングされるｎ個の顔面特徴点関係を判別することができる。
【００９５】
そして、前記無線端末１００のアプリケーション１５０は前記マッチングされるｎ個の顔面特徴点関係が判別されると、前記映像情報や写真情報に含まれたＮ個の顔面領域のうち、前記マッチングされたｎ個の顔面特徴点関係に対応するｎ個の顔面領域を有効顔面領域として決定する３２０。
【００９６】
ここで、前記無線端末１００のアプリケーション１５０は前記有効顔面領域や隠蔽顔面領域を含む映像情報や写真情報を前記メモリ部１４５または運営サーバー１９７のＤ／Ｂに保存することができる。
【００９７】
図４は、本発明の一実施方法に係るタッチスクリーンをタッチして有効顔面領域または隠蔽顔面領域を処理する過程を図示した図面である。
【００９８】
より詳細には、図４は前記図２または図３の過程を通じて有効顔面領域が決定されるかまたは隠蔽顔面領域が処理された後、前記有効顔面領域や隠蔽顔面領域を含む映像情報や写真情報が前記タッチスクリーン上の指定された領域に出力されると、前記タッチスクリーンに出力される映像情報や写真情報に含まれた顔面領域別タッチ入力を活性化処理し、前記タッチスクリーンを通じてのいずれか一つの特定顔面領域のタッチ入力を確認して前記有効顔面領域を隠蔽顔面領域として処理したり、前記隠蔽顔面領域を有効顔面領域として処理する過程を図示したものであって、本発明が属した技術分野で通常の知識を有する者であれば、図４を参照および／または変形して前記過程に対する多様な実施方法を類推できるであろうが、本発明は前記類推されるすべての実施方法を含んで構成され、図４に図示された実施方法のみにその技術的特徴が限定されるものではない。
【００９９】
図４を参照すると、図示された実施方法は、前記図２または図３の過程を通じて有効顔面領域が決定されるかまたは隠蔽顔面領域が処理された後、前記無線端末１００のアプリケーション１５０で前記有効顔面領域や隠蔽顔面領域を含む映像情報や写真情報を前記タッチスクリーン上の指定された領域に出力する過程から開始され得る４００。
【０１００】
前記有効顔面領域や隠蔽顔面領域を含む映像情報や写真情報が前記タッチスクリーン上の指定された領域に出力されると、前記無線端末１００のアプリケーション１５０は前記タッチスクリーンに出力される映像情報や写真情報に含まれたＮ個の顔面領域別タッチ入力を活性化処理する４０５。ここで前記タッチ入力活性化は、自動で活性化するか、メニュー選択や操作によって手動で活性化することができる。
【０１０１】
前記Ｎ個の顔面領域別タッチ入力が活性化した映像情報や写真情報を前記タッチスクリーンに出力されると、前記無線端末１００のアプリケーション１５０は前記映像情報や写真情報に含まれたＮ個の顔面領域のうち前記タッチスクリーンを通じてのいずれか一つの特定顔面領域のタッチ入力を確認する４１０。
【０１０２】
そして、前記無線端末１００のアプリケーション１５０は前記Ｎ個の顔面領域のうち有効顔面領域に対応する特定顔面領域がタッチ入力された場合、前記タッチされた特定顔面領域を隠蔽顔面領域として処理して表示し、前記Ｎ個の顔面領域のうち隠蔽処理された顔面領域に対応する特定顔面領域がタッチ入力された場合、前記タッチされた特定顔面領域の隠蔽を解除して有効顔面領域として表示する４１５。
【０１０３】
ここで、前記無線端末１００のアプリケーション１５０は前記有効顔面領域や隠蔽顔面領域を含む映像情報や写真情報を前記メモリ部１４５または運営サーバー１９７のＤ／Ｂに保存することができる。
【０１０４】
図５は本発明の一実施方法に係る有効顔面領域に対応する顔面特徴点関係を学習させる過程を図示した図面である。
【０１０５】
より詳細には、図５は前記図２または図３または図４の過程を通じて少なくとも一つ以上の有効顔面領域が決定された後、前記有効顔面領域に対応する顔面特徴点関係を正規化し、正規化された顔面特徴点関係をマッチングされた顔面特徴点の組み合わせに含まれるように学習させる過程を図示したものであって、本発明が属した技術分野で通常の知識を有する者であれば、図５を参照および／または変形して前記過程に対する多様な実施方法を類推できるであろうが、本発明は前記類推されるすべての実施方法を含んで構成され、図５に図示された実施方法のみにその技術的特徴が限定されるものではない。
【０１０６】
図５を参照すると、図示された実施方法は、前記図２または図３または図４の過程を通じて少なくとも一つ以上の有効顔面領域が決定された後、無線端末１００のアプリケーション１５０で前記決定された有効顔面領域を確認する過程から開始され得る５００。
【０１０７】
前記決定された有効顔面領域が確認されると、前記無線端末１００のアプリケーション１５０は前記有効顔面領域に対応する顔面特徴点関係を正規化する５０５。
【０１０８】
そして、前記無線端末１００のアプリケーション１５０は前記正規化された顔面特徴点関係を前記マッチングされた顔面特徴点の組み合わせに含まれるように学習させる５１０。
【０１０９】
前記無線端末１００のアプリケーション１５０は前記学習された顔面特徴点の組み合わせをメモリ部１４５（または運営サーバーのＤ／Ｂ）に保存し５１５、前記有効顔面領域や隠蔽顔面領域を含む映像情報や写真情報を前記メモリ部１４５または運営サーバー１９７のＤ／Ｂに保存する５２０。
【符号の説明】
【０１１０】
１００：無線端末
１０５：制御部
１１０：画面出力部
１１５：使用者入力部
１２０：サウンド処理部
１２５：近距離無線部
１３０：近距離網通信部
１３５：無線網通信部
１４０：カメラ部
１４５：メモリ部
１５０：アプリケーション
１５５：特徴点認識部
１６０：特徴点判別部
１６５：顔面領域処理部
１７０：セルフカメラ判別部
１７５：肖像権保護活性化部
１８０：タッチ入力活性化部
１８５：特徴点正規化部
１９０：学習処理部
１９５：情報保存部
【図１】
2020087399.tif 000003
【図２】
2020087399.tif 000004
【図３】
2020087399.tif 000005
【図４】
2020087399.tif 000006
【図５】
2020087399.tif 000007